(57)【要約】【課題】複数の拠点を備え、その拠点に現用系ネットワーク装置と待機系ネットワーク装置が設けられたリング型ネットワークにおいて、現用系ネットワーク装置が電源からの通電停止となった時、待機系ネットワーク装置に通信経路を迂回させるリング型ネットワークを提供する。【解決手段】現用系ネットワーク装置２０ａが電源からの通電停止を検知すると、該現用系ネットワーク装置２０ａ内で送信経路を切り替えて、外部装置１からのデータが待機系ネットワーク装置２０ｂを経由してリング型ネットワーク１００上に送信され、リング型ネットワーク１００上の通信が途切れることなく継続される。【選択図】図１
2014138227.tif 000002
【特許請求の範囲】
【請求項１】
複数の拠点が設置されたリング型ネットワークにおいて、
前記拠点には外部装置からのデータを前記リング型ネットワークに送信する現用系ネットワーク装置と待機系ネットワーク装置とが設けられており、前記現用系ネットワーク装置に電源供給された状態では、前記外部装置からのデータが該現用系ネットワーク装置を経由して前記リング型ネットワーク上に送信され、前記現用系ネットワーク装置が電源供給停止状態を検知すると、該現用系ネットワーク装置内での送信経路を切り替えて、前記外部装置からのデータが前記待機系ネットワーク装置を経由して、前記リング型ネットワーク上に送信されることを特徴とするリング型ネットワーク。
【請求項２】
前記送信経路の切り替えは、前記現用系ネットワーク装置に設けられ、前記電源供給停止状態を検知した信号を入力するリレー回路部によってなされることを特徴とする請求項１に記載のリング型ネットワーク。
【請求項３】
前記リレー回路部には共通接点と、現用系ネットワーク装置側接点と、待機系ネットワーク装置側接点と、前記各接点をつなぐ可動片と、制御部を介して励磁され前記可動片を保持するためのコイルとが設けられているとともに、前記現用系ネットワーク装置に電源供給状態では前記コイルが励磁されて、前記共通接点と前記現用系ネットワーク装置側接点とをつなぐ所定位置で前記可動片を保持し、前記現用系ネットワーク装置が電源供給停止状態では前記コイルが非励磁となり、前記可動片に設けられたバネの弾性で前記共通接点と待機系ネットワーク装置側接点とつなぐよう前記可動片が移動、保持されることによって、前記送信経路の切り替えがなされることを特徴とする請求項２に記載のリング型ネットワーク。
【請求項４】
前記現用系ネットワーク装置内での送信経路の切り替えは、前記現用系ネットワーク装置が電源供給停止状態を検知する場合か、あるいは前記現用系ネットワーク装置に設けられたネットワーク制御部が前記現用系ネットワーク装置から取りはずされた場合のいずれかであることを特徴とする請求項１に記載のリング型ネットワーク。
【発明の詳細な説明】
【技術分野】
【０００１】
この発明は、リング型ネットワークに係るものであり、特に現用系ネットワーク装置と待機系ネットワーク装置を備えたリング型ネットワークにおいて、現用系ネットワーク装置への電源供給が停止した場合に、送信回路を現用系ネットワーク装置から待機系ネットワーク装置へ迂回させるリング型ネットワークに関するものである。
【背景技術】
【０００２】
従来より、広域ネットワークなど複数の拠点間をつなぐネットワークには、２重リングによる高信頼化が容易なリングネットワーク方式が用いられており、また鉄道や高速道路などの社会インフラにおいて複数のネットワーク装置が接続される広域ネットワークには、災害時や障害発生時に通信を復旧させるため、リングネットワークには例えば、非特許文献１に示されるようなリング制御プロトコルを適用し、リングネットワーク装置配下のネットワークにはＳＴＰ（Ｓｐａｎｎｉｎｇ  Ｔｒｅｅ  Ｐｒｏｔｏｃｏｌ）／ＲＳＴＰ（Ｒａｐｉｄ  Ｓｐａｎｎｉｎｇ  Ｔｒｅｅ  Ｐｒｏｔｏｃｏｌ）を適用したネットワークが用いられている。
上記非特許文献１に示されているリングネットワークの構成装置には、ＩＥＥＥ８０２．１７  Ｒｅｓｉｌｉｅｎｔ  ｐａｃｋｅｔ  ｒｉｎｇ（ＲＰＲ）  ａｃｃｅｓｓ  ｍｅｔｈｏｄ  ａｎｄ  ｐｈｙｓｉｃａｌ  ｌａｙｅｒ（非特許文献２）に示されているように一般に、リングネットワーク装置とレイヤ２スイッチでリングネットワークを構成した場合に、各拠点では現用系装置、待機系装置、レイヤ２スイッチの３台から構成する。現用系装置と待機系装置はリングネットワーク上に構成され、レイヤ２スイッチはリングネットワーク上にはない。現用系装置に障害が発生し、現用系装置が通信不可時においても、レイヤ２スイッチによるＳＴＰもしくはＲＳＴＰのプロトコルを用いて通信回線をバイパスさせることが可能である。現用系装置だけでリングネットワークを構成した場合、現用系装置の電源がＯＦＦ状態になると通信断となる。しかし、上記構成でネットワークを組むことで、現用系装置のみでネットワークを組む場合に比べ、通信の信頼性を高めることが可能である。以下にその動作例を示す。
すなわち、通常時は、端末からレイヤ２スイッチに入ってきたパケットは現用系装置を介して、リングネットワーク上に送信される。そして現用系装置の電源供給停止時には、ＳＴＰもしくはＲＳＴＰのプロトコルにより、レイヤ２スイッチは現用系装置の通信断を検知し、端末からレイヤ２スイッチに入ってきたパケットを待機系装置に迂回させ、リングネットワーク上に送信させる。
【先行技術文献】
【非特許文献】
【０００３】
【非特許文献１】「アラクサラネットワークス株式会社発行  ＡＸ３８００Ｓ・ＡＸ３６５０Ｓソフトウェアマニュアル  コンフィグレーションガイド  Ｖｏｌ．１ＡＸ３８Ｓ−Ｓ００１−３０」
【非特許文献２】ＩＥＥＥ８０２．１７  Ｒｅｓｉｌｉｅｎｔ  ｐａｃｋｅｔ  ｒｉｎｇ（ＲＰＲ）  ａｃｃｅｓｓ  ｍｅｔｈｏｄ  ａｎｄ  ｐｈｙｓｉｃａｌ  ｌａｙｅｒ
【発明の概要】
【発明が解決しようとする課題】
【０００４】
しかしながら上記非特許文献１および非特許文献２に示されたようなリングネットワークの各拠点において、ＳＴＰもしくはＲＳＴＰのプロトコルを用いてネットワークの系切り替えを行う場合は、ＳＴＰの場合だと５０秒程、ＲＳＴＰの場合だと数秒間を要し、その間通信が遮断してしまう。さらに、レイヤ２スイッチの電源供給が停止した場合はパケットがリングネットワーク上に送信されないため、通信断となるという問題点がある。
【０００５】
この発明は、上記のような課題を解決するためになされたものであり、リレー回路部は現用系装置の電源供給が停止した場合においても、電源供給断を契機とし、迅速に現用系装置を介さずに待機系装置にパケットを迂回させ通信断を防ぐことができるリング型ネットワークを提供することを目的としている。
【課題を解決するための手段】
【０００６】
この発明は、複数の拠点が設置されたリング型ネットワークにおいて、拠点には外部装置からのデータをリング型ネットワークに送信する現用系ネットワーク装置と待機系ネットワーク装置とが設けられており、現用系ネットワーク装置に電源供給された状態では、外部装置からのデータが該現用系ネットワーク装置を経由してリング型ネットワーク上に送信され、現用系ネットワーク装置が電源供給停止状態を検知すると、該現用系ネットワーク装置内での送信経路を切り替えて、外部装置からのデータが待機系ネットワーク装置を経由して、リング型ネットワーク上に送信されるものである。
【発明の効果】
【０００７】
この発明に係るリング型ネットワークは上記のような構成を採用しているので、現用系ネットワーク装置への電源供給が停止した場合であっても、迅速に待機系ネットワーク装置へ通信回路を迂回させることが可能となり、通信断を防ぐことができる。また上記構成は、複雑な装置やネットワーク構成を用いずに、系の切り替えが可能であるので、通信の信頼性が向上し、低価格で保守時の利便性の良いという優れた効果がある。
【図面の簡単な説明】
【０００８】
【図１】実施の形態１によるリング型ネットワークを示す構成図である。
【図２】実施の形態１によるリング型ネットワークを示す構成図である。
【図３】実施の形態３によるリング型ネットワークを示す構成図である。
【発明を実施するための形態】
【０００９】
実施の形態１．
以下、この発明によるリング型ネットワーク１００を図に基づいて説明する。
図１は、実施の形態１による現用系ネットワーク装置２０ａ（以下、現用系装置２０ａと称す）と、待機系ネットワーク装置２０ｂ（以下、待機系装置２０ｂと称す）がそれぞれに設けられている第１の拠点５０ａと、第２の拠点５０ｂおよび第３の拠点５０ｃの３拠点で構成されたリング型ネットワーク１００を示す図である。
ここで、前記第１の拠点５０ａ、第２の拠点５０ｂ、第３の拠点５０ｃに設けられた後述する各構成要素はすべてに同一であり、以下、第１の拠点５０ａにおける構成要素について説明する。
第１の拠点５０ａには上記したように現用系装置２０ａと待機系装置２０ｂとが設けられている。現用系装置２０ａはネットワークの制御を行うネットワーク制御部７と経路切替を行うリレー回路部４から構成される。リレー回路部４には、第１のＬＡＮＩ／Ｆ部２ａと第２のＬＡＮＩ／Ｆ部２ｂと第３のＬＡＮＩ／Ｆ部２ｃと、共通接点ａおよびこの共通接点ａとの経路を切り替えるための可動片４ａ、待機系ネットワーク装置側接点ｂ、現用系ネットワーク装置側接点ｃおよびコイル６が設けられ、さらに前記共通接点ａと待機系ネットワーク装置側接点ｂ、現用系ネットワーク装置側接点ｃとの切り替えおよびコイル６の励磁を制御する制御部５で構成されている。すなわちリレー回路部４は機械的動作によって接点の切り替えを行う機能を備えている。ネットワーク制御部７には第１のリングアクセス制御部３ａおよび第４のＬＡＮＩ／Ｆ部２ｄが設けられている。ネットワーク制御部７とリレー回路部４は第３のＬＡＮＩ／Ｆ部２ｃと第４のＬＡＮＩ／Ｆ部２ｄで接続されている。待機系装置２０ｂには第２のリングアクセス制御部３ｂと第５のＬＡＮＩ／Ｆ部２ｅとが設けられている。
【００１０】
前記第１の拠点５０ａと第２の拠点５０ｂおよび第３の拠点５０ｃはネットワークで結ばれている。すなわち前記した第１の拠点５０ａ内の第１のリングアクセス制御部３ａと第２のリングアクセス制御部３ｂがネットワークで結ばれるとともに、これらは他の拠点のリングアクセス制御部３ａ、３ｂに結ばれて、リング型ネットワーク１００を形成している。また外部装置である端末１には前記第１のＬＡＮＩ／Ｆ部２ａが接続され、この第１のＬＡＮＩ／Ｆ部２ａは前記リレー回路部４の共通接点ａに接続されている。
さらに、リレー回路部４の待機系ネットワーク装置側接点ｂは前記第２のＬＡＮＩ／Ｆ部２ｂに接続され、この第２のＬＡＮＩ／Ｆ部２ｂは前記待機系装置２０ｂの第５のＬＡＮＩ／Ｆ部２ｅに接続され、この第５のＬＡＮＩ／Ｆ部２ｅは前記第２のリングアクセス制御部３ｂに接続されている。前記リレー回路部４の現用系ネットワーク装置側接点ｃは前記第３のＬＡＮＩ／Ｆ部２ｃに接続され、この第３のＬＡＮＩ／Ｆ部２ｃはネットワーク制御部７の第４のＬＡＮＩ／Ｆ部２ｄに接続され、この第４のＬＡＮＩ／Ｆ部２ｄは第１のリングアクセス制御部３ａに接続されている。
前記リレー回路部４は、前記現用系装置２０ａの通電を行う図示省略された電源に障害が発生したとき、待機系装置２０ｂに通信回線を切り替えるものである。
【００１１】
次に動作について説明する。
リング型ネットワーク１００を構成するすべての機器に支障がなく通常の送信回路を形成して運用されている場合は、現用系装置２０ａが図示省略した電源から通電されており、この通電状態を検知する図１に示すリレー回路部４に設けられた制御部５は図示省略したコイル用電源を介してコイル６を励磁しており、このコイル６に発生する電磁力によってリレー回路部４の可動片４ａが共通接点ａと現用系ネットワーク装置側接点ｃとを接続するように保持されている。この状態では、端末１からの通信データであるパケットは第１のＬＡＮＩ／Ｆ部２ａから共通接点ａ、可動片４ａ、現用系ネットワーク装置側接点ｃを通り、第２のＬＡＮＩ／Ｆ部２ｃおよび第４のＬＡＮＩ／Ｆ部２ｄ、第１のリングアクセス制御部３ａ介してリング型ネットワーク１００に送信されている。
一方、現用系装置２０ａの電源が何らかの原因によって障害が発生した場合に、リレー回路部４の制御部５は電源供給停止を検知し、制御部５はコイル６への通電をＯＦＦとする。その結果、コイル６に発生する電磁力がなくなり、可動片４ａが図示省略したバネによって移動し、図２に示すように共通接点ａと待機系ネットワーク装置側接点ｂとが接続される。この場合、切り替えに要する時間は瞬時であり、レイヤ２スイッチ等に比較して格段短く、それ故、通信に対する悪影響を少なくすることができる。このことにより端末１からの送信データであるパケットは、第１のＬＡＮＩ／Ｆ部２ａから可動片４ａ、第２のＬＡＮＩ／Ｆ部２ｂ、待機系装置２０ｂの第５のＬＡＮＩ／Ｆ部２ｅ、第２のリングアクセス制御部３ｂを介してリング型ネットワーク１００に送信される。
尚、制御部５からコイル６への通電をＯＮとすると、コイル６に発生する電磁力によって可動片４ａが移動し、共通接点ａと現用系ネットワーク装置側接点ｃが接続される。
【００１２】
このように実施の形態１では、現用系装置２０ａの電源に何らかの原因で障害が発生した場合に、レイヤ２スイッチ等の複雑な装置を用いることなく、簡単でかつ低価格の構成でもって、しかも瞬時に現用系ネットワーク装置側接点ｃから待機系ネットワーク装置側接点ｂへの切り替え、つまり現用系装置２０ａから待機系装置２０ｂへの通信回路の自動的な切り替えが可能となり、通信の信頼性が向上するという効果がある。尚、リング型ネットワーク１００に設けられた他のいずれの拠点の現用系装置２０ａにおいて電源停止が生じたとしても、それぞれ独自に自拠点の現用系装置２０ａから待機系装置２０ｂへの切り替えが可能である。
【００１３】
実施の形態２．
前記実施の形態１では現用系装置２０ａへの通電がＯＦＦとなった場合に、自動的に待機系装置２０ｂへの切り替えを行う場合について述べたが、この実施の形態２による制御部５には、端末１からの信号によってリレー回路部４のコイル６への通電をＯＦＦとする機能が設けてある。このような制御部５を設けたリング型ネットワーク１００は、現用系装置２０ａに通電されている場合であっても、現用系装置２０ａから待機系装置２０ｂへの切り替えが可能となる。当然のことながら現用系装置２０ａを再運用しようとする場合には、端末１からの信号によって、コイル６への通電がＯＮとされ、元の現用系装置２０ａを介する通信回路に戻すことができる。従って、リング型ネットワーク１００の運用の多様性がはかれ、例えば現用系装置２０ａの構成機器の通電中における保守、点検が可能となることや、構成機器の交換等をリング型ネットワーク１００の通信を大きく阻害することなく実施することができるという利点がある。
【００１４】
実施の形態３．
次にリング型ネットワーク１００の保守、点検や部品交換等を行う際に、現用系装置２０ａのネットワーク制御部７をリング型ネットワーク１００から一時的に除去する場合を図３に基づいて説明する。
現用系装置２０ａの電源から通電がＯＦＦ状態を制御部５が検知すると、パケットの送信経路は図３に示すようにリレー回路部４の共通接点ａと待機系ネットワーク装置側接点ｂとは接続される。つまりリング型ネットワーク１００への通信回路が現用系装置２０ａから待機系装置２０ｂに切り替わった状態となる。
このような状態において、現用系装置２０ａからリレー回路部４のみを残してネットワーク制御部７を取り除いたとしても、リレー回路部４を介して端末１からのパケットの送信を維持することが可能であり、また、上記取り除く作業は容易であるため、保守、点検の利便性が向上するという効果がある。尚、上記実施の形態では３拠点の例を示したがこれに限定されるものでない。
【００１５】
以上述べたとおり、リング型ネットワーク１００において電源障害が発生して現用系装置２０ａの電源からの通電が停止した場合や構成要素を一時的にリング型ネットワーク１００から除去した場合であっても、通信遮断を回避して通信を維持することができ、また保守時の利便性、通信の信頼性が向上する。
【００１６】
尚、この発明は、その発明の範囲内において、実施の形態を適宜、変形、省略することが可能である。
【符号の説明】
【００１７】
１  端末、４  リレー回路部、４ａ  可動片、５  制御部、６  コイル、
７  ネットワーク制御部、２０ａ  現用系ネットワーク装置、
２０ｂ  待機系ネットワーク装置、１００  リング型ネットワーク、ａ  共通接点、
ｂ  待機系ネットワーク装置側接点、ｃ  現用系ネットワーク装置側接点。
【図１】
2014138227.tif 000003
【図２】
2014138227.tif 000004
【図３】
2014138227.tif 000005